(57)【特許請求の範囲】
【請求項１】
床面を清掃する掃除コラムと、
前記掃除コラムの表面に密封的にかけられた水槽と、
清潔な水源を貯蔵する清水タンクと、
前記清水タンクと前記水槽と互いに連通し、前記清水タンク内の清水を前記水槽内に流入させる清水供給装置と、
回収した汚水を貯蔵するチャンバーを有し、前記チャンバーに前記水槽と連通する汚水流入口と抽気口が開設される汚水タンクと、
吸気口が前記抽気口と連通し、排気口が前記掃除コラムの表面又は前記水槽と連通するエアポンプと、
を含むことを特徴とする床面掃除機。
【請求項２】
前記チャンバー内に少なくとも１つの水飛び防止部材が設置され、前記少なくとも１つの水飛び防止部材が前記チャンバーを分割して収容チャンバーを形成し、前記収容チャンバーと前記抽気口が水飛び防止部材により隔てられ、
前記水飛び防止部材に前記収容チャンバーと前記抽気口とを連通させる通気口が開設され、前記通気口が前記抽気口と互いに位置ずれして設置されることを特徴とする請求項１に記載の床面掃除機。
【請求項３】
前記チャンバー内に水飛び防止部材が設置され、前記水飛び防止部材が第１の緩衝貯蔵チャンバーを有し、前記第１の緩衝貯蔵チャンバーには、上下に設置された第１の通気口と第２の通気口がそれぞれ開設され、
前記水飛び防止部材が前記チャンバー内に取り付けられると、前記チャンバーを分割して第２の緩衝貯蔵チャンバーと収容チャンバーを形成し、
前記収容チャンバーが前記第２の通気口を介して前記第１の緩衝貯蔵チャンバーと連通し、前記第２の緩衝貯蔵チャンバーが前記第１の通気口を介して前記第１の緩衝貯蔵チャンバーと連通し、前記抽気口が前記第２の緩衝貯蔵チャンバーと連通し、
前記抽気口、前記第１の通気口及び前記第２の通気口のうちの少なくとも２つが互いに位置ずれして設置されることを特徴とする請求項１に記載の床面掃除機。
【請求項４】
前記互いに位置ずれして設置されることは、互いに異なる方向に位置する場合と、同じ方向での異なる位置に位置する場合とを含むことを特徴とする請求項２又は３に記載の床面掃除機。
【請求項５】
前記第２の通気口は、前記収容チャンバーの入口に向かって横方向に沿って設置されることを特徴とする請求項３に記載の床面掃除機。
【請求項６】
前記第１の通気口は、縦方向に沿って設置されることを特徴とする請求項５に記載の床面掃除機。
【請求項７】
前記抽気口は、横方向に沿って設置されることを特徴とする請求項６に記載の床面掃除機。
【請求項８】
前記汚水タンク内に、さらに、汚水の液面の高さを検出する液位検出装置が取り付けられていることを特徴とする請求項１に記載の床面掃除機。
【請求項９】
前記清水供給装置は、入水口が前記清水タンクと連通し、出水口が前記水槽と連通する水ポンプであることを特徴とする請求項１に記載の床面掃除機。
【請求項１０】
前記清水タンクと前記汚水タンクは、前記掃除コラムを収容するベースに連結するハンドルに収容され、前記汚水タンクが前記清水タンクの下方側に配置される請求項１から９のうちいずれか一項に記載の床面掃除機。
【発明の詳細な説明】
【技術分野】
【０００１】
本願は、掃除装置に関し、特に床面掃除機の給水構造に関する。
【背景技術】
【０００２】
人間が初期に使用していた床面掃除用具は、主に人間の手動操作により掃除作業を行う箒、モップ、フロアワイパーなどである。科学技術の進歩に伴い、人々の床面掃除用具への要求も徐々に高くなり、最初には、電力によりエネルギーを供給し、負圧を生成することにより床面上のごみ、灰塵などを吸引する集塵機が現れている。しかし、集塵機は、その動作原理に制限されるため、床面に強固に付着しているごみと汚れを掃除できないので、新しい床面掃除機も現れている。該新しい床面掃除機は、モータの運転により掃除コラム（掃除ロール）を床面を拭くように駆動するとともに、該床面掃除機内に給水システムも配置されて、掃除コラムを洗浄することにより、床面に対する掃除を完璧に実現する。
【０００３】
該給水システムは、掃除コラムの表面と密封的に連通する水槽内に清水を提供することにより、掃除コラムの表面を洗浄する。洗浄後の汚水は給水システムにより汚水タンクに吸引されて、相応の処理を行われる。しかし、従来の構造において、汚水の吸引は、主に集塵機の生成した動力に依存するが、このような動力は、主に集塵機能を満たし、汚水吸引が付加的な機能のみであるので、汚水タンクの汚水回収能力を柔軟に調節することができない。
【発明の概要】
【０００４】
本願は新規な床面掃除機を提供する。
本願に係る床面掃除機は、
床面を掃除する掃除コラムと、
掃除コラムの表面に密封的にかけられた水槽と、
清潔な水源を貯蔵する清水タンクと、
前記清水タンクと水槽と互いに連通し、清水タンク内の清水を水槽内に流入させる清水供給装置と、
回収した汚水を貯蔵するチャンバーを有し、前記チャンバーに水槽と連通する汚水流入口と抽気口が開設される汚水タンクと、
吸気口が汚水タンクの抽気口と連通するエアポンプとを含む。
【０００５】
前記床面掃除機の更なる改良として、前記エアポンプの排気口は掃除コラムの表面又は水槽と連通する。
【０００６】
前記床面掃除機の更なる改良として、前記汚水タンクのチャンバー内に少なくとも１つの水飛び防止部材が設置され、前記少なくとも１つの水飛び防止部材が汚水タンクのチャンバーを分割して収容チャンバーを形成し、前記収容チャンバーと抽気口が水飛び防止部材により隔てられ、前記水飛び防止部材に収容チャンバーと抽気口とを連通させる通気口が開設され、前記通気口が抽気口と位置ずれして設置される。
【０００７】
前記床面掃除機の更なる改良として、前記汚水タンクのチャンバー内に水飛び防止部材が設置され、前記水飛び防止部材が第１の緩衝貯蔵チャンバーを有し、前記第１の緩衝貯蔵チャンバーには、上下に設置された第１の通気口と第２の通気口がそれぞれ開設され、前記水飛び防止部材がチャンバー内に取り付けられると、前記チャンバーを分割して第２の緩衝貯蔵チャンバーと収容チャンバーを形成し、前記収容チャンバーが第２の通気口を介して第１の緩衝貯蔵チャンバーと連通し、前記第２の緩衝貯蔵チャンバーが第１の通気口を介して第１の緩衝貯蔵チャンバーと連通し、前記抽気口が第２の緩衝貯蔵チャンバーと連通し、前記抽気口、第１の通気口及び第２の通気口のうちの少なくとも２つが互いに位置ずれして設置される。
【０００８】
前記床面掃除機の更なる改良として、前記互いに位置ずれして設置されることは、互いに異なる方向に位置する場合と、同じ方向での異なる位置に位置する場合とを含む。
前記床面掃除機の更なる改良として、前記第２の通気口は、収容チャンバーの入口に向かって横方向に沿って設置される。
前記床面掃除機の更なる改良として、前記第１の通気口は縦方向に沿って設置される。
【０００９】
前記床面掃除機の更なる改良として、前記抽気口は横方向に沿って設置される。
前記床面掃除機の更なる改良として、前記汚水タンク内に、さらに、汚水の液面の高さを検出する液位検出装置が取り付けられている。
前記床面掃除機の更なる改良として、前記清水供給装置は、入水口が清水タンクと連通し、出水口が水槽と連通する水ポンプである。
【発明の効果】
【００１０】
本願は以下のような有益な効果を有する。
本願に係る床面掃除機は、掃除コラム、水槽、清水タンク、清水供給装置、汚水タンク及びエアポンプを含む。該水槽は、掃除コラムの表面に密封的にかけられ、清水タンク、清水供給装置及び水槽は互いに連通し、清水供給装置は、清水タンク内の清水を水槽内に流入させる。汚水タンクは、回収した汚水を貯蔵するチャンバーを有し、チャンバーに汚水流入口と抽気口が開設され、汚水流入口が水槽と連通し、エアポンプの吸気口が汚水タンクの抽気口と連通する。本願は、独立したエアポンプを汚水タンクの汚水吸引のための動力とし、実際の需要に応じて、汚水タンクの汚水回収能力を柔軟に調節することができる。
【図面の簡単な説明】
【００１１】
【図１】本願の床面掃除機の一実施例の全体図である。
【図２】図１に示す実施例を別の角度から見る全体図である。
【図３】図１に示す実施例の分解概略図である。
【図４】床面掃除機のベース部分の断面概略図である。
【図５】床面掃除機の掃除コラムアセンブリの断面概略図である。
【図６】図５におけるＡ部分の拡大図である。
【図７】床面掃除機の掃除コラムと清掃機構との組み合わせの概略図である。
【図８】床面掃除機のごみ箱の概略図である。
【図９】床面掃除機の水槽構造（掃除コラムアセンブリを含む）の概略図である。
【図１０】床面掃除機の水槽構造（掃除コラムアセンブリを含まない）の概略図である。
【図１１】床面掃除機の給水機構の概略図である。
【図１２】床面掃除機の清水タンクの概略図である。
【図１３】床面掃除機の汚水タンクの概略図である。
【図１４】床面掃除機の水ポンプの概略図である。
【図１５】床面掃除機のエアポンプの概略図である。
【図１６】床面掃除機の汚水タンクの概略斜視断面図である。
【図１７】床面掃除機の汚水タンクの別の断面における概略断面図である。
【図１８】床面掃除機の水飛び防止部材の概略断面図である。
【図１９】床面掃除機のスポンジコラムの概略斜視断面図である。
【図２０】床面掃除機のスポンジコラムの概略斜視断面図である。
【発明を実施するための形態】
【００１２】
以下、具体的な実施形態と図面を合わせて本発明をさらに詳細に説明する。本願は、本実施例に記載の実施形態に限られず、種々の異なる態様で実現することができる。以下の具体的な実施形態は、本願の開示の内容をより明晰かつ徹底的に理解しやすくするために提供したものであり、方向を指示する上、下、左、右などの用語は、示された構造の対応する図面での位置について言ったものにすぎない。
【００１３】
しかしながら、当業者であれば、そのうちの１つ又は複数の具体的な詳細の記載を省略してもよく、他の方法、アセンブリ又は材料を用いてもよいと意識するべきである。いくつかの例において、いくつかの実施形態は、記述されていないか又は詳細に記述されていない。
また、本明細書に記載の技術的特徴、技術的解決手段は、１つ以上の実施例において、任意の適切な態様で組み合わせてもよい。
【実施例１】
【００１４】
本実施例は、床面掃除機を提供する。
該床面掃除機は、ケースアセンブリ、掃除機構、給水機構、制御部及び接続機構を含む。
該ケースアセンブリは、床面掃除機の支持部であり、ベースとハンドルの２つの部分に分けられる。該ベースとハンドルは、接続機構により接続され、ユーザが本床面掃除機をうまく把持してより多くの角度での掃除を実現するために、このような接続は可動である。
【００１５】
該掃除機構は、床面を掃除するための主な部材であり、一般的にベースに取り付けられている。該給水機構は、清水タンクと汚水タンクを提供し、該清水タンクは、清潔な水源を貯蔵し、掃除機構と連通して動力部材により清水を掃除機構に送って、掃除機構を洗浄する。汚水タンクは、汚水タンクと連通する掃除機構からの汚水を貯蔵する。掃除機構内の汚水は、別の動力部材の作用下で汚水タンクに回収されて、床面掃除機の外部に流出することを回避する。
【００１６】
制御部は、主に制御回路と制御回路を支持する回路基板とを含み、他の部分の動作、例えば、掃除機構の運転と停止、給水機構の起動と停止、マンマシン・インタラクションの実現などに対して制御の役割を果たす。
理解しやすくするために、本実施例において、以下、いずれもベース側を前、ハンドル側を後として説明する。
【００１７】
具体的には、図１〜図３を参照すると、該ベースは、折り畳みケース１１０、ベースケース１２０、サイドカバー１３０及びベースのリアケース１４０を含み、該折り畳みケース１１０は、ベースケース１２０の上方に取り付けられ、ベースケース１２０に対して回転して開くことができる。ベースのリアケース１４０は、ベースケース１２０の後下方に取り付けられ、サイドカバー１３０は、ベースケース１２０の両側にかけられる。
さらに図１〜図３を参照すると、ハンドルは、把持部と本体部を含む。該把持部は、把持部の上部ケース１７０と把持部のリアケース１８０を含み、本体部は、本体部の上部ケース１５０と本体部のリアケース１６０を含む。把持部が本体部に取り付けられ、本体部が接続機構５００を介してベースと接続されることにより、ハンドルとベースとの接続が実現される。
【００１８】
図３〜図６を参照すると、該掃除機構は、掃除コラムアセンブリ２１０と、掃除コラムにあるごみを清掃する清掃機構２２０と、掃除コラムアセンブリにあるごみを回収するごみ箱２３０とを含む。
掃除コラムアセンブリ２１０は、床面に直接接触して床面のごみを清掃し、可撓性材料で製造される掃除コラムを含み、本実施例において、スポンジコラム２１１を掃除コラムの例とする。
【００１９】
掃除コラムアセンブリ２１０は、さらに、スポンジコラム２１１を支持するスリーブ２１３と、スポンジコラム２１１及びスリーブ２１３の回転を駆動する掃除動力装置２１２とを含む。
掃除動力装置２１２は、ベースケース１２０の床面に垂直な方向の側壁に取り付けられ、ねじで締め付けることができる。スポンジコラム２１１のスリーブ２１３は、掃除動力装置２１２の外側に嵌着され、取り外して交換できる。スポンジコラム２１１はスリーブ２１３に嵌着され、掃除動力装置２１２はスリーブ２１３の中に取り付けられ、掃除動力装置２１２は、モータであり、制御部により掃除動力装置２１２のオンオフと回転方向などを制御する。
【００２０】
図４を参照すると、該ごみ箱２３０は、スポンジコラム２１１の後下方に設置され、スポンジコラム２１１の回転に影響しない前提で、スポンジコラム２１１にできるだけ近接することにより、ごみがスポンジコラム２１１とごみ箱２３０との間の隙間から漏れることを回避する。
図７を参照すると、該清掃機構２２０は、回転体２２１と回転体２２１に設置された複数の清掃部材２２２とを含む。該回転体２２１は、清掃動力装置（清掃動力装置がモータあり、図示せず）によって駆動されて回転し、かつスポンジコラム２１１と同じ方向（時計回り又は逆時計回り）に回転する。該清掃部材２２２は、短冊状で、例えば、ブラッシ又は歯状物であり、回転体２２１と共に回転することができる。また、清掃部材２２２とスポンジコラム２１１は、ごみの体積よりも小さい隙間を有するか又は直接接触することにより、回転しながらスポンジコラム２１１にあるごみを清掃する。
【００２１】
清掃機構２２０は、スポンジコラム２１１の後上方、即ちごみ箱２３０の上方に設置されて、スポンジコラム２１１から清掃されたごみをごみ箱２３０内に落下させる。
図７を参照すると、スポンジコラム２１１にあるごみをより効率的に清掃するために、清掃部材２２２は、少なくとも２組設置され、各組が複数の清掃部材２２２を含み、かつ回転体２２１の回転中心線に沿って配列され、配列の長さは、スポンジコラム２１１の回転中心線における長さより小さいか、大きいか又は等しい長さを選択することができる。
【００２２】
また図７を参照すると、各組の清掃部材２２２の配列は、直線に沿って分布してもよく、また、各組の清掃部材２２２を波状に配列してもよいが、このような配列方式は、直線配列方式に比べて、清掃部材２２２がスポンジコラム２１１に与える抵抗を減少させ、エネルギー消費を減少させることができる。
【００２３】
さらに、図４と図８を参照すると、掃除機構において、床面掃除機の掃除効果を向上させるために、スポンジコラム２１１の後方にスクレーパー２４０が設置され、該スクレーパー２４０は、例えばゴムで製造された柔軟な先端２４１を有し、該先端２４１が床面に密着されることにより、ごみが床面掃除機の下方から漏れることを回避する。図４と図１０を参照すると、該スクレーパー２４０とスポンジコラム２１１との間に隙間が設置され、かつスクレーパー２４０のスポンジコラム２１１に向かっている外壁がスポンジコラム２１１に対応した円弧面に設計されることにより、該隙間は、ごみを入らせるようにガイドするガイドスロットとなる。
【００２４】
図３、図４、図９、及び図１１を参照すると、該給水機構は、洗浄チャンバー、清水タンク３１０、清水供給装置（本実施例では水ポンプ３３０）、汚水タンク３２０及び汚水回収装置（本実施例ではエアポンプ３４０）を含む。
洗浄チャンバーは、スポンジコラム２１１の回転軌跡に設置され、かつスポンジコラム２１１と密封的に組み合わせられ、洗浄チャンバー内に液体を収容して、スポンジコラム２１１を洗浄することができる。
【００２５】
本実施例において、図９、図１０を参照すると、本実施例に係る洗浄チャンバーは水槽構造であり、その他の実施例においてその他の態様のチャンバーであってもよい。該水槽３５１は、ベースケース１２０（水槽ケースに相当）の一部が凹んだことで形成され、床面掃除機全体の構造を簡略化することができる。ただし、その他の実施例において、該水槽３５１は独立した水槽ケースで形成されてもよい。
【００２６】
該水槽３５１は、スポンジコラム２１１に反転してかけられ、水槽３５１のスポンジコラム２１１と接触する箇所は密封を維持する。密封を実現するために、本実施例の例示的構造では、水槽３５１の両側に密封部材３５２と絞り部材３５３がねじにより締め付けられ、密封部材３５２が絞り部材３５３の後方に位置し、即ち、スポンジコラム２１１は、まず密封部材３５２に移動し、次に絞り部材３５３に移動する。該絞り部材３５３と密封部材３５２は、それぞれ水槽３５１とスポンジコラム２１１の密封構造となり、また、絞り部材３５３はスポンジコラム２１１内の水分を絞り出す役割もはたす。スポンジコラム２１１から絞り出された汚水は水槽３５１内に直接的に入り、汚水タンク３２０により吸引される。
【００２７】
より高い絞り効果を達成するために、絞り部材３５３は硬質材料で製造され、そのスポンジコラム２１１の表面と接触する部分の外壁が円弧形であり、例えば硬質プラスチック、金属などで製造された押圧バー又は軸状物などである。密封部材３５２は密封効果のみをはたし、図１１を参照すると、密封部材３５２のスポンジコラム２１１と接触する部分３５２１は、弾性材料で製造された突起状に設計され、その弾性は、スポンジコラム２１１内の汚水を水槽３５１の外に絞り出すことを回避することができる。
また、図９、図１０を参照すると、スポンジコラム２１１にある大きなごみが給水機構に入って、流路を詰まることを回避するために、水槽３５１内に、さらに、両端が絞り部材３５３と密封部材３５２により水槽３５１内に圧着される濾過網３５４を設置してもよい。
【００２８】
図３、図１１、図１２及び図１４を参照すると、清水タンク３１０の清水流出口３１１、水槽３５１の清水流入口（図示せず）は、水ポンプ３３０と互いに連通し、該水ポンプ３３０の入水口３３１が清水流出口３１１と連通し、出水口３３２が清水流入口と連通し、水ポンプ３３０の作用下で清水が清水流入口から水槽３５１に入り、かつスポンジコラム２１１を洗浄した後に水槽３５１の汚水流出口１２４１から流出する。
【００２９】
また、図３、図１１、図１３、及び図１５を参照すると、該汚水流出口１２４１、汚水タンク３２０の汚水流入口３２１１は、エアポンプ３４０と互いに連通する。具体的に、該エアポンプ３４０は汚水タンク３２０の抽気口３２１２と連通し、水槽３５１の汚水流出口１２４１は汚水タンク３２０の汚水流入口３２１１と連通する。該エアポンプ３４０は、汚水タンク３２０に対して抽気を行って、汚水タンク３２０内に負圧を生成することができ、該負圧により汚水タンク３２０は水槽３５１内から汚水を吸引することができる。エアポンプ３４０によって汚水を吸収する利点として、汚水タンク３２０の汚水吸引能力を容易に制御でき、実際の需要に応じて、柔軟に調節することができる。
【００３０】
当然のことながら、その他の実施例において、清水供給装置は、水ポンプ３３０に限定されず、その他の駆動装置である可能性もあり、例えば、該水ポンプ３３０のかわりにエアポンプを用いてもよく、該エアポンプは、水槽３５１と連通し、抽気して水槽３５１内の圧力を減少させることにより、清水タンク３１０から清水を吸引し、該原理は、上記汚水タンク３２０が汚水を回収する原理と類似している。
同様に、汚水回収装置は、エアポンプ３４０に限定されず、その他の駆動装置である可能性もあり、例えば、エアポンプ３４０のかわりに水ポンプを用いてもよく、該原理は、上記清水タンク３１０が清水を供給する原理と類似している。
【００３１】
さらに、図３、図１１、図１３及び図１５を参照すると、エアポンプ３４０の吸気口３４１が汚水タンク３２０と連通するので、エアポンプ３４０が吸気する場合、汚水タンク３２０が揺れれば、飛び散った水沫がエアポンプ３４０に吸引されやすい。
これに対して、汚水タンクのチャンバー内に少なくとも１つの水飛び防止部材が設置され、該少なくとも１つの水飛び防止部材が汚水タンクのチャンバーを分割して収容チャンバーを形成し、該収容チャンバーと抽気口が水飛び防止部材により隔てられ、該水飛び防止部材に収容チャンバーと抽気口とを連通させる通気口が開設され、通気口が抽気口と位置ずれして設置される。
【００３２】
本実施例の汚水タンク３２０への改良として、具体的に、汚水タンク３２０は、汚水を収容する収容チャンバーと少なくとも１つの水飛び防止部材とを有するように設計され、該水飛び防止部材が抽気口３２１２と収容チャンバーを隔て、水飛び防止部材に収容チャンバーと連通する通気口が開設され、汚水タンク３２０の抽気口３２１２が水飛び防止部材の通気口と連通することにより、飛び散った水沫の大部分は水飛び防止部材により遮断されるが、エアポンプ３４０の抽気に影響せず、水飛び防止部材の数が多ければ多いほど、その水飛び防止効果が高くなる。
【００３３】
具体的に、図１６、図１７及び図１８を参照すると、汚水タンク３２０は、汚水流入口３２１１及び抽気口３２１２が設置されたチャンバーと、液位検出装置３２２と、水飛び防止部材３２３とを含む。該液位検出装置３２２と水飛び防止部材３２３は、いずれもチャンバー内に取り付けられ、液位検出装置３２２は、汚水タンク３２０内の汚水の液量を検出し、制御部に接続され、一旦、汚水が最大値を超えると、スイッチがトリガーされて信号を制御部に送信する。
【００３４】
該水飛び防止部材３２３は、第１の緩衝貯蔵チャンバー３２３４を有し、その第１の緩衝貯蔵チャンバー３２３４にそれぞれ上下に設置された第１の通気口３２３１と第２の通気口３２３２が開設され、該第１の通気口３２３１と第２の通気口３２３２は異なる方向に設置され、第１の通気口３２３１が縦方向に沿って設置されるが、第２の通気口３２３２が収容チャンバー３２３５の流入口に向かって横方向に沿って設置される。このような位置ずれして設置されることは、第２の通気口３２３２から入った液体が第１の通気口３２３１に入ることを防止することができる。
【００３５】
水飛び防止部材３２３がチャンバー内に取り付けられると、汚水タンク３２０のチャンバーを分割して１つの第２の緩衝貯蔵チャンバー３２３３と１つの収容チャンバー３２３５を形成し、収容チャンバー３２３５と第１の緩衝貯蔵チャンバー３２３４は第２の通気口３２３２を介して連通し、第２の緩衝貯蔵チャンバー３２３３と第１の緩衝貯蔵チャンバー３２３４は第１の通気口３２３１を介して連通し、抽気口３２１２は第２の緩衝貯蔵チャンバー３２３３と連通する。抽気口３２１２は横方向に沿って設置される。これにより、多重の水飛び防止により、エアポンプ３４０に吸引される水はほとんどない。
本願において、抽気口、第１の通気口及び第２の通気口のうちの少なくとも２つは、互いに位置ずれして設置される。上記互いに位置ずれして設置されることは、互いに異なる方向に位置する（例えば、抽気口３２１２と第１の通気口３２３１のうち、一方が横方向に沿って設置され、他方が縦方向に沿って設置される）場合、同じ方向での異なる位置に位置する（例えば、全部は縦方向に沿って設置されるが、互いに異なる直線に位置する）場合、及びその他の態様の位置ずれを含む。
【００３６】
また、汚水タンク３２０から飛び散った水沫がエアポンプ３４０に吸引されるという問題に対して、本実施例は、さらにその他の面で改良し、即ちエアポンプ３４０の排气口３４２とスポンジコラム２１１又は水槽３５１を連通させ、エアポンプ３４０の吸収した液体をスポンジコラム２１１又は水槽３５１に排出することができる。
【００３７】
水槽３５１、清水タンク３１０、水ポンプ３３０、汚水タンク３２０及びエアポンプ３４０の間の流路チャンネルは、いずれも独立した管路で実現されてもよく、構造を簡略化するために、その他の部件と一体に設計してもよい。図３と図１０を参照すると、ベースケース１２０の両側にそれぞれ清水槽、汚水槽１２４及び排水槽１２５が設置され、汚水槽１２４の一端が水槽３５１の汚水流出口１２４１であり、他端が汚水タンク３２０に接続された汚水伝送口１２４２であり、排水槽１２５の一端が排水流入口１２５１であり、他端が水槽３５１又はスポンジコラム２１１と連通する排水流出口１２５２である。清水槽は、ケースベース１２０の汚水槽１２４に対向している側に位置し、水ポンプ３３０と連通する接続口と水槽３５１の清水流入口とを含み、その構造は汚水槽１２４の構造とほぼ同じであるため、ここで、図面において詳細な説明をしていない。ベースケース１２０の両側のサイドカバー１３０がベースケース１２０にかけられると、該清水槽、汚水槽１２４及び排水槽１２５は、全部で密封された流路チャンネルを形成し、流路の連通を実現する。
【００３８】
さらに、清掃効果を向上させるために、スポンジコラム２１１を厚く製造する可能性があり、これで、スポンジを洗浄するときに、スポンジのより奥の部分にある水を絞り出すために、絞り部材３５３がスポンジコラム２１１に大きな力を与えることが必要になり、一旦、絞り力が大きすぎると、スポンジコラム２１１の回転を妨害し、スポンジコラム２１１の正常な回転を維持するために、エネルギーの入力を増大させることが必要になり、最終的に過大なエネルギー消費を招く。
図１９、図２０を参照すると、本実施例は、スポンジコラム２１１を少なくとも２層、即ち外層に位置した吸水スポンジ層２１１１と内層の非吸水スポンジ層２１１２として設計し、該非吸水スポンジ層２１１２は非吸水性スポンジ材料で製造され、水分を吸収しない。吸水スポンジ層２１１１は、吸水性スポンジ材料で製造され、水分は主に外層の吸水スポンジ層２１１１に吸収されるので、水を絞る場合、外層の吸水スポンジ層２１１１にある水分を絞り出すだけでよく、外層の吸水スポンジの厚さが従来の全体的なスポンジ層より薄いので、大きな絞り力を必要とせずに水を絞ることができ、スポンジコラム２１１の回転を妨害することもない。
【００３９】
さらに、一般的に、スポンジコラム２１１はベースケース１２０内に取り付けられ、従来の円柱形スポンジコラムの両端は床面に垂直な環状面であり、ベースケース１２０の左右の２つの側壁が一定の厚さを有し、該形状のため、スポンジコラム２１１は、ベースケース１２０の、スポンジコラム２１１と隣接している左右の側壁の下方まで延伸できず、それで、ベースケース１２０の、スポンジコラム２１１と隣接している左右の側壁の下方の領域が清掃のブラインドゾーンとなる。
【００４０】
図５、図６、図１９、及び図２０を参照すると、本実施例に係るスポンジコラム２１１の両端は円錐面ａ、ｂであり、該円錐面ａ、ｂは、取り付けられると、ベースケース１２０の、スポンジコラム２１１と隣接している左右の側壁の床面に向かっている側の下方まで延伸でき、それにより該ブラインドゾーンの清掃を実現する。
該制御部は、制御回路が設置された回路基板とマンマシン・インタラクション・ユニットなどを含み、制御部が本願の改良の重点ではないため、ここで詳細な説明をしていない。図３にマンマシン・インタラクション・ユニットの１つとしての押しボタンのみを示す。
【００４１】
以上の内容は、具体的な実施形態と合わせて本発明をさらに詳細に説明したが、本発明の具体的な実施がこれらの説明に限定されるものではない。当業者にとって、本発明の構想から逸脱しない範囲で、複数の簡単な変形又は置き換えを行うことができる。
【図１】
0006525222.tif 000002
【図２】
0006525222.tif 000003
【図３】
0006525222.tif 000004
【図４】
0006525222.tif 000005
【図５】
0006525222.tif 000006
【図６】
0006525222.tif 000007
【図７】
0006525222.tif 000008
【図８】
0006525222.tif 000009
【図９】
0006525222.tif 000010
【図１０】
0006525222.tif 000011
【図１１】
0006525222.tif 000012
【図１２】
0006525222.tif 000013
【図１３】
0006525222.tif 000014
【図１４】
0006525222.tif 000015
【図１５】
0006525222.tif 000016
【図１６】
0006525222.tif 000017
【図１７】
0006525222.tif 000018
【図１８】
0006525222.tif 000019
【図１９】
0006525222.tif 000020
【図２０】
0006525222.tif 000021